(57)【要約】【課題】ハンドオーバ元の基地局との無線接続を解放して基地局を検索する必要が無く、ハンドオーバに要する時間を短縮できるＯＦＤＭＡ方式の通信システム、該通信システムに用いる基地局及び端末並びに基地局切替方法を提供する。【解決手段】複数の基地局１０と複数の端末との間でデータ通信を行うＯＦＤＭＡ方式の通信システムにおいて、各基地局１０は、各端末毎に使用可能又は使用不可能なサブチャネルが示された情報を含み各端末に割り当てられた第１のサブチャネルと、実際に使用するデータを含む第２のサブチャネルと、を含むサブチャネルの端末毎の割り当てを設定するサブチャネル割当設定手段１５−１を有し、複数の端末のうちの一つの端末２０から第１のサブチャネルの切替要求を受信した場合、当該端末２０に割り当てられた第１のサブチャネルと同じスロットに第２のサブチャネルを集めて割り当てる。【選択図】図５
2008113090.tif 000002
【特許請求の範囲】
【請求項１】
複数の基地局と複数の端末との間でデータ通信を行うＯＦＤＭＡ方式の通信システムにおいて、
各基地局は、各端末毎に使用可能又は使用不可能なサブチャネルが示された情報を含み各端末に割り当てられた第１のサブチャネルと、実際に使用するデータを含む第２のサブチャネルと、を含むサブチャネルの端末毎の割り当てを設定するサブチャネル割当設定手段を有し、
前記複数の端末のうちの一つの端末から前記第１のサブチャネルの切替要求を受信した場合、当該端末に割り当てられた前記第１のサブチャネルと同じスロットに前記第２のサブチャネルを集めて割り当てることを特徴とする通信システム。
【請求項２】
複数の基地局と複数の端末との間でデータ通信を行うＯＦＤＭＡ方式の通信システムにおいて、
各基地局は、各端末毎に使用可能又は使用不可能なサブチャネルが示された情報を含み各記端末に割り当てられた第１のサブチャネルと、実際に使用するデータを含む第２のサブチャネルと、を含むサブチャネルの端末毎の割り当てを設定するサブチャネル割当設定手段を有し、
前記複数の端末のうちの一つの端末から前記第１のサブチャネルの切替要求を受信した場合、少なくとも１つのスロットは基地局が使用する制御チャネルを空けることを特徴とする通信システム。
【請求項３】
各端末毎に使用可能又は使用不可能なサブチャネルが示された情報を含み各端末に割り当てられた第１のサブチャネルと、実際に使用するデータを含む第２のサブチャネルと、を含むサブチャネルの端末毎の割り当てを設定するサブチャネル割当設定部を有し、
前記複数の端末のうちの一つの端末から前記第１のサブチャネルの切替要求を受信した場合、前記第１のサブチャネルと同じスロットに前記第２のサブチャネルを集めて割り当てたサブチャネルの割り当て情報を当該端末に送信することを特徴とする基地局。
【請求項４】
請求項１又は２に記載の通信システムにおける端末であって、
切替先となる基地局との通信状態を測定する通信状態測定部と、前記切替先となる基地局を検索する切替先基地局検索部と、を有していることを特徴とする端末。
【請求項５】
請求項１又は２の通信システムにおけるハンドオーバの際の基地局切替方法であって、
ダウンリンクの無線品質が劣化した場合、前記端末が切替元の基地局へ前記第１のサブチャネル切替要求を送信するステップと、
前記切替元の基地局が、前記第１のサブチャネルと同じスロットに前記第２のサブチャネルを集めて割り当て、１つのスロットに前記第１のサブチャネルと前記第２のサブチャネルがまとまった状態のサブチャネル割り当て情報を端末に送信するステップと、
前記端末が、前記サブチャネル割り当て情報を受信して、通信が行われていないすべての相対スロットにおいて、周辺基地局の検索を行うステップと、
前記端末と、検索により見つかった切替先の基地局とのリンクを確立し、前記切替元の基地局とのリンクを切断するステップと、を含むことを特徴とする基地局切替方法。
【請求項６】
請求項１又は２の通信システムにおけるハンドオーバの際の基地局切替方法であって、
アップリンクの無線品質が劣化した場合、切替元の基地局がハンドオーバ指示を端末に送信するステップと、
前記ハンドオーバ指示を受信して、前記端末が前記切替元の基地局へ前記第１のサブチャネル切替要求を送信するステップと、
前記切替元の基地局が、前記第１のサブチャネルと同じスロットに前記第２のサブチャネルを集めて割り当て、１つのスロットに前記第１のサブチャネルと前記第２のサブチャネルがまとまった状態のサブチャネル割り当て情報を前記端末に送信するステップと、
前記端末が、前記サブチャネル割り当て情報を受信して、通信が行われていないすべての相対スロットにおいて、周辺基地局の検索を行うステップと、
前記端末と、検索により見つかった切替先の基地局とのリンクを確立し、前記切替元の基地局とのリンクを切断するステップと、を含むことを特徴とする基地局切替方法。
【発明の詳細な説明】
【技術分野】
【０００１】
本発明は、ＯＦＤＭＡ方式の通信システム、該通信システムに用いる基地局及び端末並びに当該通信システムにおけるハンドオーバの際の基地局切替方法に関する。
【背景技術】
【０００２】
ＰＨＳシステムなどの無線アクセス方式として、ＴＤＭＡ（Time Division Multiple Access：時分割多元接続）とＴＤＤ(Time Division Duplex：時分割双方向伝送)を組み合わせたＴＤＭＡ／ＴＤＤ方式が採用されている。最近では、ＯＦＤＭ（Orthogonal Frequency Division Multiplexing：直交周波数分割）の技術によるＯＦＤＭＡ（Orthogonal Frequency Division Multiplexing Access：直交周波数分割多重接続）を用いたＯＦＤＭＡ方式が提案されている。
【０００３】
ＯＦＤＭは、データを変調する搬送波を、互いに直交した複数の「サブキャリア」（細分化された搬送波）に分割し、データ信号をそれぞれのサブキャリアに分散させて送信する方式である。
【０００４】
以下、ＯＦＤＭ方式の概要について説明する。
図１１は送信側に用いられるＯＦＤＭ変調装置の構成を示すブロック図である。ＯＦＤＭ変調装置には、送信データが入力される。この送信データは、シリアル／パラレル変換部２０１に供給されて、低速な複数の伝送シンボルからなるデータに変換される。つまり、伝送情報を分割して、複数の低速なデジタル信号を生成する。このパラレルデータは、逆高速フーリエ変換（ＩＦＦＴ）部２０２に供給される。
【０００５】
パラレルデータは、ＯＦＤＭを構成する各サブキャリアに割り当てられ、周波数領域においてマッピングされる。ここで、各サブキャリアに対してBPSK、QPSK、16QAM、64QAM等の変調が施される。マッピングデータは、ＩＦＦＴ演算を施すことによって、周波数領域の送信データから時間領域の送信データに変換される。これにより、互いに直交する関係にある複数のサブキャリアがそれぞれ独立に変調されたマルチキャリア変調信号が生成される。ＩＦＦＴ部２０２の出力は、ガードインターバル付加部２０３に供給される。
【０００６】
ガードインターバル付加部２０３は、図１２に示すように、伝送データの有効シンボルの後部をガードインターバルとして、伝送シンボル毎に有効シンボル期間の前部にコピーを付加する。このガードインターバル付加部で得られたベースバンド信号は、直交変調部２０４に供給される。
【０００７】
直交変調部２０４は、ガードインターバル付加部２０３から供給されるベースバンドＯＦＤＭ信号に対して、ＯＦＤＭ変調装置の局部発振器１０５から供給されるキャリア信号を用いて、直交変調を施し、中間周波数（ＩＦ）信号もしくは無線周波数（ＲＦ）信号に周波数変換する。すなわち、直交変調部は、ベースバンド信号を所望の伝送周波数帯域に周波数変換した後に伝送路に出力する。
【０００８】
図１３は、受信側に用いられるＯＦＤＭ復調装置の構成を示すブロック図である。ＯＦＤＭ復調装置には、図１１のＯＦＤＭ変調装置によって生成されたＯＦＤＭ信号が所定の伝送路を介して入力される。
【０００９】
このＯＦＤＭ復調装置に入力されたＯＦＤＭ受信信号は、直交復調部２１１に供給される。直交復調部２１１は、ＯＦＤＭ受信信号に対して、ＯＦＤＭ復調装置の局部発振器２１２から供給されるキャリア信号を用いて直交復調を施し、ＲＦ信号もしくはＩＦ信号からベースバンド信号に周波数変換し、ベースバンドＯＦＤＭ信号を得る。このＯＦＤＭ信号は、ガードインターバル除去部２１３に供給される。
【００１０】
ガードインターバル除去部２１３は、ＯＦＤＭ変調装置のガードインターバル付加部２０３で付加された信号を、図示しないシンボルタイミング同期部から供給されるタイミング信号に従って除去する。このガードインターバル除去部２０３で得られた信号は、高速フーリエ変換（ＦＦＴ）部２１４に供給される。
【００１１】
ＦＦＴ部２１４は、入力される時間領域の受信データをＦＦＴすることによって周波数領域の受信データに変換する。さらに周波数領域においてデマッピングされ、各サブキャリア毎にパラレルデータが生成される。ここで、各サブキャリアに施されたBPSK、QPSK、16QAM、64QAM等の変調に対する復調がなされたことになる。ＦＦＴ部２１４で得られたパラレルデータは、パラレル／シリアル変換部２１５に供給されて、受信データとして出力される。
【００１２】
以上のようにＯＦＤＭは、搬送波を複数のサブキャリアに分割する方式である。そして、ＯＦＤＭＡは、上記ＯＦＤＭにおけるサブキャリアの中から複数のサブキャリアを集めてグループ化し、各グループを各ユーザに１つ又は複数割り当てて多重通信を行う方式である。上記各グループはそれぞれサブチャネルと呼ばれる。つまり、各ユーザは割り当てられた１つ又は複数のサブチャネルを用いて通信を行うのである。また、サブチャネルは通信を行うデータ量や伝播環境等に応じて適応的に増減して割り当てられる。
【００１３】
このようなＯＦＤＭＡ方式のＰＨＳシステムでは、フレーム構成は、例えばタイムスロットが４個であり、縦軸が周波数軸、横軸が時間軸を示す。ダウンリンク期間及びアップリンク期間は、共に周波数軸に対して、複数の周波数帯に分割されている。最初の周波数帯に割り当てられるサブチャネルは、コントロールサブチャネルと呼ばれ、制御チャネル（ＣＣＨ）で使用している。他の周波数帯はそれぞれ複数のサブチャネルからなるトラフィックチャネル（ＴＣＨ）で構成されている。
【００１４】
ところで、基地局との無線通信可能な範囲であるセルの境界に端末が移動した場合や、その他の原因により通信中の基地局からの電波が弱くなり通信不可能となる場合、電波が弱くなるかまたは弱くなる前に、別のセルの電波の強い基地局に切り替えを行うことをハンドオーバと言う。
【００１５】
このようなハンドオーバは、例えば、特許文献１に記載されているようにして、以下のように行われる。
図１４において、基地局ＢＴＳ１０１と無線通信可能な範囲をセル１１２、基地局ＢＴＳ２と無線通信可能な範囲をセル１１３とし、端末ＭＳ１０７がハンドオーバ元の基地局ＢＴＳ１０１のセル１１２からハンドオーバ先の基地局ＢＴＳ１０２のセル１１３に移る状態を示している。
【００１６】
端末ＭＳ１０７は、基地局ＢＴＳ１０１との交信中に、端末ＭＳ１０７のパワーをモニタリングし、基地局ＢＴＳ１０２へのハンドオーバが生じることが予測されたときに、モニタリングの結果をセンターＭＳＣ１１１に通報する。端末ＭＳ１０７は隣接する基地局のリストを受け取り、このリストを基にして一定の時間間隔で隣接基地局の信号をモニタリングし、その結果をＢＴＳ１０１に通報する。ハンドオーバの境界条件が整ったとき、基地局コントローラＢＳＣ１０９へメッセージが送信される。このメッセージは、端末ＭＳを認識するために必要とされるパラメータと、端末ＭＳと基地局ＢＴＳ１０２との間の通信に、これから用いられる新しいチャンネル（タイムスロット）に関するデータとを含む。端末１０７がセル１１２とセル１１３の重なっている範囲にあるとき、ＭＳＣ１１１の制御下において基地局ＢＴＳ１０２へのハンドオーバが開始され、端末１０７がセル１１３の範囲に入るまでにハンドオーバは終了する。
【００１７】
【特許文献１】特開２００２−３０６２８号公報（第３−４頁、図１０）
【発明の開示】
【発明が解決しようとする課題】
【００１８】
ところで、上述のようなＯＦＤＭＡ方式を採用した通信システムでは、通信システムの帯域幅全てを使用しなくても通信を行うことができるため、通信システムの一部の帯域のみを使用する通信帯域幅が狭い端末を用いることができる。このような通信帯域幅が狭い端末は、通信システムの全帯域幅を使用できる端末に比べると製造コストを低くすることができる。
【００１９】
ところが、ＯＦＤＭＡ方式を採用した通信システムでは、制御チャネル（CCH）は特定スロットを使用している。このため、制御チャネルから周波数が離れたサブチャネルで通信を行った場合、上記のような通信帯域幅が狭い端末は、通信中には制御チャネルを受信することができないので、制御チャネルを使用するハンドオーバなどの制御ができないという問題点が生じる。
【００２０】
また、通信帯域幅が広く、通信中にトラフィックチャネルと制御チャネルを同時に受信できる端末であっても、同一のスロットで受信しようとした場合には、制御チャネルとトラフィックチャネルでは受信レベルの差が大きいため、一方の受信レベルに合わせて増幅を行うと他方が受信できない場合があるので、通信中のトラフィックチャネルと同一のスロットの制御チャネルを使用することができない可能性がある。
【００２１】
このため、ハンドオーバの必要が生じた場合には、ハンドオーバ元の基地局との無線接続を解放してから、制御チャネルを使用してハンドオーバ先の基地局を検索する方法を用いなければならないが、この方法ではハンドオーバに要する時間が長くなってしまう。
これにより通信に瞬断が発生し、最悪の場合、呼切断が発生することが懸念される。
【００２２】
本発明は、上記問題点を解決するためになされたものであり、通信帯域幅が狭い端末で制御チャネルから周波数が離れたサブチャネルで通信を行った場合や、通信中のトラフィックチャネルと同一のスロットの制御チャネルを使用してハンドオーバ先の基地局を検索しようとする場合などにおいて、ハンドオーバ元の基地局との無線接続を解放して基地局を検索する必要が無く、ハンドオーバに要する時間を短縮できるＯＦＤＭＡ方式の通信システム、該通信システムに用いる基地局及び端末並びに基地局切替方法を提供するものである。
【課題を解決するための手段】
【００２３】
前記課題を解決するために、本発明に係る通信システムは、複数の基地局と複数の端末との間でデータ通信を行うＯＦＤＭＡ方式の通信システムにおいて、各基地局は、各端末毎に使用可能又は使用不可能なサブチャネルが示された情報を含み各端末に割り当てられた第１のサブチャネルと、実際に使用するデータを含む第２のサブチャネルと、を含むサブチャネルの端末毎の割り当てを設定するサブチャネル割当設定手段を有し、前記複数の端末のうちの一つの端末から前記第１のサブチャネルの切替要求を受信した場合、当該端末に割り当てられた前記第１のサブチャネルと同じスロットに前記第２のサブチャネルを集めて割り当てることを特徴とする（請求項１）。
【００２４】
また、本発明に係る通信システムは、複数の基地局と複数の端末との間でデータ通信を行うＯＦＤＭＡ方式の通信システムにおいて、各基地局は、各端末毎に使用可能又は使用不可能なサブチャネルが示された情報を含み各記端末に割り当てられた第１のサブチャネルと、実際に使用するデータを含む第２のサブチャネルと、を含むサブチャネルの端末毎の割り当てを設定するサブチャネル割当設定手段を有し、前記複数の端末のうちの一つの端末から前記第１のサブチャネルの切替要求を受信した場合、少なくとも１つのスロットは基地局が使用する制御チャネルを空けることを特徴とする（請求項２）。
【００２５】
また、本発明に係る基地局は、各端末毎に使用可能又は使用不可能なサブチャネルが示された情報を含み各端末に割り当てられた第１のサブチャネルと、実際に使用するデータを含む第２のサブチャネルと、を含むサブチャネルの端末毎の割り当てを設定するサブチャネル割当設定部を有し、前記複数の端末のうちの一つの端末から前記第１のサブチャネルの切替要求を受信した場合、前記第１のサブチャネルと同じスロットに前記第２のサブチャネルを集めて割り当てたサブチャネルの割り当て情報を当該端末に送信することを特徴とする（請求項３）。
【００２６】
また、本発明に係る端末は、請求項１又は２に記載の通信システムにおける端末であって、切替先となる基地局との通信状態を測定する通信状態測定部と、前記切替先となる基地局を検索する切替先基地局検索部と、を有していることを特徴とする（請求項４）。
【００２７】
また、本発明に係る基地局切替方法は、請求項１又は２の通信システムにおけるハンドオーバの際の基地局切替方法であって、ダウンリンクの無線品質が劣化した場合、前記端末が切替元の基地局へ前記第１のサブチャネル切替要求を送信するステップと、前記切替元の基地局が、前記第１のサブチャネルと同じスロットに前記第２のサブチャネルを集めて割り当て、１つのスロットに前記第１のサブチャネルと前記第２のサブチャネルがまとまった状態のサブチャネル割り当て情報を端末に送信するステップと、前記端末が、前記サブチャネル割り当て情報を受信して、通信が行われていないすべての相対スロットにおいて、周辺基地局の検索を行うステップと、前記端末と、検索により見つかった切替先の基地局とのリンクを確立し、前記切替元の基地局とのリンクを切断するステップと、を含むことを特徴とする（請求項５）。
【００２８】
また、本発明に係る基地局切替方法は、請求項１又は２の通信システムにおけるハンドオーバの際の基地局切替方法であって、アップリンクの無線品質が劣化した場合、切替元の基地局がハンドオーバ指示を端末に送信するステップと、前記ハンドオーバ指示を受信して、前記端末が前記切替元の基地局へ前記第１のサブチャネル切替要求を送信するステップと、前記切替元の基地局が、前記第１のサブチャネルと同じスロットに前記第２のサブチャネルを集めて割り当て、１つのスロットに前記第１のサブチャネルと前記第２のサブチャネルがまとまった状態のサブチャネル割り当て情報を前記端末に送信するステップと、前記端末が、前記サブチャネル割り当て情報を受信して、通信が行われていないすべての相対スロットにおいて、周辺基地局の検索を行うステップと、前記端末と、検索により見つかった切替先の基地局とのリンクを確立し、前記切替元の基地局とのリンクを切断するステップと、を含むことを特徴とする（請求項６）。
【発明の効果】
【００２９】
本発明によれば、端末から第１のサブチャネルの切替要求を受信した場合、当該端末に割り当てられた第１のサブチャネルと同じスロットに第２のサブチャネルを集めて割り当てるようにすることにより、第１のサブチャネルと第２のサブチャネルを集められたスロット以外の残りのスロットを使ってハンドオーバ先の基地局を検索することができる。
または、少なくとも１つのスロットは基地局が使用する制御チャネルを空けることにより、通信中の端末であっても制御チャネルを送受信することができる。
従って、通信帯域幅が狭い端末を用いて制御チャネルから周波数が離れたサブチャネルで通信を行った場合や、通信中のトラフィックチャネルと同一のスロットの制御チャネルを使用してハンドオーバ先の基地局を検索しようとする場合などにおいて、ハンドオーバの必要が生じたときに、ハンドオーバ元の基地局との無線接続を解放して基地局を検索する必要が無く、ハンドオーバに要する時間を短縮できる。
【発明を実施するための最良の形態】
【００３０】
まず、本発明の実施の形態の説明に先立って、本発明の実施の形態に係る通信システム及び通信方法で使用するＯＦＤＭＡのフレーム構成について、図１を参照して説明する。
図１のフレーム構成は、例えば、ＰＨＳシステムで使用されるタイムスロットが４個（Ｓ１〜Ｓ４）の場合の構成であり、縦軸が周波数軸であり、横軸が時間軸である。図１において、ダウンリンク期間（基地局から端末への通信）及びアップリンク期間（端末から基地局への通信）は、共に周波数軸に対して、２８個の周波数帯に分割されている。最初の周波数帯のサブチャネルは、コントロールサブチャネルと呼ばれ、制御チャネル（CCH）で使用している。このコントロールサブチャネルは、各周波数帯において、各タイムスロットのどのサブチャネルを使うかを指示する。
【００３１】
図１の例は、ＰＨＳシステムの例であり、コントロールサブチャネルＣ１〜Ｃ４で指定できる基地局は４つの基地局である。また、ＰＨＳシステムにおいては、１００ｍｓ毎に制御チャネルを間歇送信する。
【００３２】
そして、残りの２７の周波数帯には、データを送受信するトラフィックサブチャネルＴ１〜Ｔ１０８で構成されており、周波数方向に２７個、時間軸方向に４個で、全部で１０８のサブチャネルで構成されている。
このトラフィックサブチャネルは、第１のサブチャネルであるアンカーサブチャネルと第２のサブチャネルであるエクストラサブチャネルとにより構成されている。
【００３３】
アンカーサブチャネル（第１のサブチャネル）とは、どのサブチャネルをどの端末が使用するかを各端末に通知するために使用したり、再送制御でデータが正しくやりとりできたかを基地局と端末でネゴシエーションするために使ったりするためのサブチャネルである。
【００３４】
エクストラサブチャネル（第２のサブチャネル）とは、実際に使用するデータを送信するサブチャネルであり、１つの端末に対して、複数のエクストラサブチャネルを割り当てることができる。この場合、割り当てられたエクストラサブチャネルが多いほど帯域が広がるので高速な通信が可能となる。
【００３５】
また、各端末が基地局との間の通信に対しどのサブチャネル割り当てるかを示すサブチャネルの割り当て情報をＭＡＰ情報と呼び、予め基地局から各端末へ通知される。
【００３６】
以下、本発明に係る通信システムの実施の形態について、図面を参照して詳細に説明する。図２は、本実施の形態に係る通信システムにおいて端末と複数の基地局との間のハンドオーバの方法を示す模式図である。
【００３７】
図２において、端末２０は、現在基地局１０−１と通信中であり、スロットＳ２のアンカーサブチャネルを使って通信を行っている。この端末ＰＳが基地局１０−１との無線通信可能な範囲の境界に端末が移動した場合や、その他の原因により通信中の基地局１０−１からの電波が弱くなり通信不可能となる場合や電波が弱くなるかまたは弱くなる前に、電波の強い別の基地局に切り替えを行うハンドオーバを行う必要がある。
【００３８】
図２の場合、隣接の基地局１０−２〜１０−５が存在しているものとする。端末ＰＳがパーチ状態となった場合、アンカーサブチャネルのみの接続となるので、アンカーサブチャネルで使用しているスロット以外の残り３スロットで制御チャネル(CCH)を受信可能である。例えば、図２においては、１０−２、１０−３、１０−５はハンドオーバ（HO）可能であり、１０−４はハンドオーバ（HO）不可である。
【００３９】
次に、本発明の実施の形態に係る通信システム及び通信方法に用いられる端末及び基地局の構成を説明する。
図３は基地局の構成を示すブロック図、図４は端末の構成を示すブロック図である。
図３に示すように、基地局１０は、アンテナに接続され後述する信号処理部１２からの信号をＲＦ信号に変換したり、逆に受信したＲＦ信号を信号処理部１２が扱えるように変換する無線通信部１１、受信した信号または送信する信号を処理する信号処理部１２、信号の変調または復調を行う変復調部１３、上位通信網に接続される外部Ｉ／Ｆ部１４、信号処理部１２及び変復調部１３を制御する制御部１５によって構成されている。
【００４０】
制御部１５は、各端末毎に使用可能又は使用不可能なサブチャネルが示された情報を含み各端末に割り当てられたアンカーサブチャネル（ASCH）と、実際に使用するデータを含むエクストラサブチャネル（ESCH）と、を含むサブチャネルの端末毎の割り当てを設定するサブチャネル割当設定部１５−１を有している。
サブチャネル割当設定部１５−１は、端末からのアンカーサブチャネル（ASCH）切替要求を受信した場合、アンカーサブチャネル（ASCH）と同じスロットにエクストラサブチャネル（ESCH）を集めて割り当てる。
これにより、基地局１０は、１つのスロットにアンカーサブチャネル（ASCH）とエクストラサブチャネル（ESCH）がまとまった状態となったサブチャネルの割り当て情報（ＭＡＰ情報）を端末に送信する。
【００４１】
図４に示すように、端末２０は、アンテナに接続され後述する信号処理部２２からの信号をＲＦ信号に変換したり、逆に受信したＲＦ信号を信号処理部２２が扱えるように変換する無線通信部２１、受信した信号または送信する信号を処理する信号処理部２２、信号の変調または復調を行う変復調部２３、データや音声等の入出力を行う入出力部２４、信号処理部２１及び無線通信部２１を制御する制御部２５によって構成されている。
【００４２】
制御部２５は、ハンドオーバなどの際に、切替先となる基地局との通信状態（例えば、SINR、RSSIなど）を測定する通信状態測定部２５−１、切替先となる基地局を検索するハンドオーバ先基地局検索部２５−２を有している。
【００４３】
本実施の形態に係る通信システムにおけるハンドオーバのシーケンスについて説明する。まず、本実施の形態に係る通信システムにおける端末側から起動する場合のハンドオーバのシーケンスについて図５を参照して説明する。
・ダウンリンク（下り回線）の無線品質が劣化した場合、例えば、SINR（Signal-to-Interference and Noise Ratio：信号対干渉雑音比）が基準となる閾値以下となった場合、ハンドオーバ動作を開始する。
なお、この無線品質劣化の判断は、１０dBμV程度を閾値として、受信信号の強度（RSSI：Received Signal Strength Indicator）などによるものであっても良い。
・端末２０は切替元の１０−１へアンカーサブチャネル（ASCH）切替要求を送信する。
・切替元の基地局１０−１はサブチャネル割当部１５−１の制御により、アンカーサブチャネル（ASCH）と同じスロットにエクストラサブチャネル（ESCH）を集めて割り当てる。このようにして、１つのスロットにアンカーサブチャネル（ASCH）とエクストラサブチャネル（ESCH）がまとまった状態のサブチャネル割り当て情報（ＭＡＰ情報）を端末に送信する。
・端末２０は、通信が行われていないすべての相対スロット（アンカーサブチャネル（ASCH）、エクストラサブチャネル（ESCH）の割り当てが全くないスロット）において、周辺基地局の検索を行う。
・端末２０は、検索により見つかった切替先の基地局１０−ｎ（１０−１以外の基地局）に対し、リンクチャネル（LCH）確立要求を送信する。
・切替先の基地局１０−ｎは、リンクチャネル（LCH）確立要求を受信したら、アンカーサブチャネル（ASCH）を選択し、端末に対してリンクチャネル（LCH）割当を送信する。
・端末２０と切替先の基地局１０−ｎは、切替先の基地局１０−ｎのアンカーサブチャネル（ASCH）により通信を開始する。この切替先の基地局１０−ｎのアンカーサブチャネル（ASCH）による通信はダウンリンク、アップリンクのいずれを先に行っても良い。
・切替先の基地局１０−ｎのアンカーサブチャネル（ASCH）でエクストラサブチャネル（ESCH）を割り当てるＭＡＰ情報を受信したとき、端末２０はハンドオーバが成功したと見なし、切替元の基地局１０−１とのリンクを切断する。
【００４４】
また、本実施の形態に係る通信システムにおける基地局側から起動する場合のハンドオーバのシーケンスについて図６を参照して説明する。
・アップリンク（上り回線）の無線品質が劣化した場合、例えば、SINR（Signal-to-Interference and Noise Ratio：信号対干渉雑音比）が基準となる閾値以下となった場合、ハンドオーバ動作を開始する。
なお、この無線品質劣化の判断は、１０dBμV程度を閾値として、受信信号の強度（RSSI：Received Signal Strength Indicator）などによるものであっても良い。
・切替元の基地局１０−１はハンドオーバ指示を端末２０に送信する。
・この指示を受信して、端末は切替元の基地局へアンカーサブチャネル（ASCH）切替要求を送信する。
・切替元の基地局１０−１は、サブチャネル割当部１５−１の制御により、アンカーサブチャネル（ASCH）と同じスロットにエクストラサブチャネル（ESCH）を集めて割り当てる。このようにして、１つのスロットにアンカーサブチャネル（ASCH）とエクストラサブチャネル（ESCH）がまとまった状態のサブチャネル割り当て情報（ＭＡＰ情報）を端末に送信する。
・端末２０は、通信が行われていないすべての相対スロット（アンカーサブチャネル（ASCH）、エクストラサブチャネル（ESCH）の割り当てが全くないスロット）において、周辺基地局の検索を行う。
・端末２０は、検索により見つかった切替先の基地局１０−ｎ（１０−１以外の基地局）に対し、リンクチャネル（LCH）確立要求を送信する。
・切替先の基地局１０−ｎは、リンクチャネル（LCH）確立要求を受信したら、アンカーサブチャネル（ASCH）を選択し、端末に対してリンクチャネル（LCH）割当を送信する。
・端末２０と切替先の基地局１０−ｎは、切替先の基地局１０−ｎのアンカーサブチャネル（ASCH）により通信を開始する。この切替先の基地局１０−ｎのアンカーサブチャネル（ASCH）による通信はダウンリンク、アップリンクのいずれを先に行っても良い。
・切替先の基地局１０−ｎのアンカーサブチャネル（ASCH）でエクストラサブチャネル（ESCH）を割り当てるＭＡＰ情報を受信したとき、端末２０はハンドオーバが成功したと見なし、切替元の基地局１０−１とのリンクを切断する。
【００４５】
なお、上述の端末側から起動する場合のハンドオーバのシーケンス又は基地局側から起動する場合のハンドオーバのシーケンスにおいて、基地局が端末からアンカーサブチャネルの切替要求を受信した場合、少なくとも１つのスロットは基地局が使用する制御チャネルを空けるようにしても良い。
【００４６】
なお、端末は、１つのスロットにアンカーサブチャネル（ASCH）とエクストラサブチャネル（ESCH）がまとまった状態のＭＡＰ情報を受信したとき、端末側から見て、無線品質が前記の閾値以下に劣化していなかった場合には、ハンドオーバ先の基地局の検索処理のみを行うようにしても良い。
【図面の簡単な説明】
【００４７】
【図１】本発明の実施の形態に係る通信方法に用いられるＯＦＤＭＡのフレーム構成を示す説明図である。
【図２】本発明の実施の形態に係る通信システムにおいて端末と複数の基地局との間のハンドオーバの方法を示す模式図である。
【図３】本発明の実施の形態に係る通信システムの基地局の構成を示すブロック図である。
【図４】本発明の実施の形態に係る通信システムに端末の構成を示すブロック図である。
【図５】本実施の形態に係る通信システムにおける端末側から起動する場合のハンドオーバのシーケンスを説明する図である。
【図６】本実施の形態に係る通信システムにおける基地局側から起動する場合のハンドオーバのシーケンスを説明する図である。
【図７】送信側に用いられるＯＦＤＭ変調装置の構成を示すブロック図である。
【図８】ガードインターバルを示す説明図である。
【図９】受信側に用いられるＯＦＤＭ変調装置の構成を示すブロック図である。
【図１０】従来の移動局ネットワークの構成と移動局が１つのベース局のセルから別のベース局のセルに移動する状況を示す図である。
【符号の説明】
【００４８】
１０、１０−１、１０−２、１０−３、１０−４、１０−５、１０−ｎ  基地局
１１  無線通信部
１２  信号処理部
１３  変復調部
１４  外部Ｉ／Ｆ部
１５  制御部
１５−１  サブチャネル割当設定部（サブチャネル割当設定手段）
２０  端末
２１  無線通信部
２２  信号処理部
２３  変復調部
２４  入出力部
２５  制御部
２５−１  通信状態測定部（通信状態測定手段）
２５−２  ハンドオーバ先基地局検索部（ハンドオーバ先基地局検索手段）
【図１】
2008113090.tif 000003
【図２】
2008113090.tif 000004
【図３】
2008113090.tif 000005
【図４】
2008113090.tif 000006
【図５】
2008113090.tif 000007
【図６】
2008113090.tif 000008
【図７】
2008113090.tif 000009
【図８】
2008113090.tif 000010
【図９】
2008113090.tif 000011
【図１０】
2008113090.tif 000012